(57)【要約】【課題】ランプソケットにおいて、ランプを装着する時に回転子を押し込む必要をなくし、ランプの着脱操作が容易であり、且つ、ランプの装着を確実に行うことを可能とする。【解決手段】ランプソケット１は、カバー２及びボディ３からなるソケット本体１０と、回転子４と、一対の導電板５とを備えている。回転子４はカバー２の開口部２ａに回動自在に配され、回転子４のカム面４ｃとボディ３のカム面３ｃとが当接している。ランプのランプピンは、回転子４が挿入位置にあるときにカバー２のランプピン挿入溝２ｂからランプピン保持溝４ｂに配される。回転操作が行われてランプピンと共に回転子４が回動すると、カム面４ｃがカム面３ｃ上を滑動して回転子４が前方へ移動する。回転子４が装着位置まで回動すると、回転子４の受金面４ａがランプの口金面と当接してランプを挟持すると共にランプピンが導電板５と接触してランプが通電可能に装着される。【選択図】図１
2006331701.tif 000002
【特許請求の範囲】
【請求項１】
前面に開口部を有し、外側面から前記開口部に連通するランプピン挿入溝を有するソケット本体と、
前記開口部に回動自在に配されて、前面がランプの口金面と接する受金面となる回転子と、
前記ソケット本体内に配設され、ランプピンと接触することでランプに通電する導電板とを備え、
前記回転子は、前記受金面に開放され、該回転子の前記ソケット本体に対する位置が挿入位置のときに前記ランプピン挿入溝に連通して外部からランプピンを挿入可能となるランプピン保持溝を有しており、
前記受金面同士が対向するように照明器具本体に一対で配され、前記ランプピン挿入溝から前記ランプピン保持溝に挿入されたランプピンが前記回転子とともに挿入位置から装着位置まで回転操作されることで、前記ランプピンが前記導電板に接触してランプが通電可能に装着される直管蛍光灯用のランプソケットにおいて、
一対のランプソケットの回転子が共に挿入位置にあるとき、これらの回転子の受金面間の距離がランプ両端の口金面間の長さより長くなるように照明器具本体に配されており、
前記ランプピンが前記回転子と共に回転操作されたとき、前記回転子が回動すると共に前方へ移動して前記受金面がランプの口金面に向けてせり出し、前記ランプピン及び回転子が装着位置となったときに、該受金面が口金面と当接することを特徴とするランプソケット。
【請求項２】
前記ソケット本体と回転子とは、互いに当接するカム面をそれぞれ有しており、
前記回転子が回転操作により回動したとき、当該回転子のカム面がソケット本体のカム面上を滑動することで、当該回転子が前方へ移動することを特徴とする請求項１記載のランプソケット。
【請求項３】
前記ソケット本体は、前記回転子を係止する係止部を有しており、
前記回転子は、当該回転子の位置が挿入位置にあるときには前記係止部によってソケット本体に係止されており、当該回転子の位置が装着位置にあるときには前記係止部による係止が開放されており前方へ移動可能であることを特徴とする請求項１記載のランプソケット。
【請求項４】
前記回転子は、ランプが装着されておらず、且つ、当該回転子の位置が装着位置にあるときには、一対のランプソケットの回転子の受金面間の距離がランプ両端の口金面間の長さより短くなるように、前方に突出した状態であることを特徴とする請求項１記載のランプソケット。
【発明の詳細な説明】
【技術分野】
【０００１】
本発明は、直管蛍光灯を点灯させる照明器具に適用されるランプソケットに関するものである。
【背景技術】
【０００２】
従来、直管蛍光灯を点灯させる照明器具に適用されるランプソケットとして、例えば特許文献１に示されているような、回動自在に配される回転子及びこの回転子を挟む一対の接触導電体をソケット本体内に内蔵した挟み込み型のものが用いられている。このようなランプソケットを用いた照明器具の一例を図１１に示す。ランプソケット８１は、器具本体８４０に、ランプ８５０の長手方向両端付近の位置に配されて、一対にして用いられる。この照明器具のランプソケット８１へのランプ８５０の取り付けは、回転子が所定の挿入位置にある状態で、ランプ８５０が図の黒矢印方向に移動されて行われる。ランプ８５０が移動され、両端部の口金面８５１から突設されているランプピン８５２がランプソケット８１の回転子に挿入された後、ランプ８５０が回転され、ランプピン８５２とともに回転子が回動される。回転子が挿入位置から所定の装着位置まで回動されると、ランプピン８５２が接触導電体によって挟持されて、ランプ８５０がランプソケット８１に保持される。ランプ８５０の取り外しはこの逆の手順により行われ、ランプ８５０が回転されて回転子が装着位置から挿入位置となった後にランプ８５０を図の黒矢印と反対方向に移動されて、ランプ８５０が取り外される。
【０００３】
上述のようにランプ８５０が保持されたとき、ランプ８５０が長手方向に動くような遊びがあると、振動等が加わったときにランプピン８５２と接触導電体との接触が不安定となり、接触が離れることでランプ８５０が一瞬消灯してしまうような不具合を生じることがある。特許文献１においては、このような不具合を解決するために、回転子が、接触導電体によってランプ８５０の軸方向に付勢されて、ランプ８５０の両端の口金面８５１に押し付けられるようにする技術が記載されている。ランプ８５０が装着されていないときには、一対のランプソケット８１の回転子間の距離（以下、ソケット間隔という）は、ランプ８５０の両端の口金面８５１間の寸法（以下、ランプ長という）よりも小さくされている。そして、ランプ８５０を装着する時には、ソケット間隔を広げるように回転子を押さえ付けながらランプピン８５２が回転子に挿入される。
【０００４】
また、上述の不具合を解決するための別の技術として、ランプソケット８１自体がランプ８５０の長手方向に移動可能に器具本体８４０に取り付けられるものや、ランプソケット８１自体が可撓性を有するように構成されるものが知られている。このとき、ランプピン８５２は、ランプソケット８１を押さえ付け、ランプソケット８１自体を例えば図の白抜き矢印方向に移動させたり変形させたりして、ソケット間隔を広げながら回転子に挿入される。
【０００５】
しかしながら、上述のように、ランプ８５０がランプソケット８１によって常に挟まれるような構成であると、ランプ８５０を取り付ける作業は、ソケット間隔を押し拡げながら行う必要があるため容易に行うことができず、困難を伴うものとなる。また、ランプピン８５２を回転子へ挿入すると、口金面８５１がランプソケット８１によって挟持されるので、この時点で、見かけ上ランプ８５０が保持された状態となる。誤って、その後ランプ８５０及び回転子を回転させる操作を行わずに放置すると、衝撃、振動等が加わることでランプ８５０が落下してしまう恐れがある。
【０００６】
また、直管蛍光灯用のランプソケットとしては、上述のような挟み込み型のものの他に、ランプ８５０を回転させずにランプソケットの部材を長手方向に押し込む操作のみでランプピン８５２と接触導電板とが接触されてランプ８５０が取り付けられる、突き合わせ操作型のものも知られている。このため、ユーザが、実際のランプソケット８１は上述のような挟み込み型のものであるのに、突き合せ操作型のランプソケットであると勘違いし、装着されているランプ８５０を回転させずに、ランプ８５０を軸方向に押すことのみにより強引に取り外してしまうことがある。
【０００７】
挟み込み型のランプソケット８１においては、上述のように装着されているランプ８５０を取り外すときに回転されなければ、回転子は挿入位置のままとなる。回転子が挿入位置でないときには、接触導電板はランプピン８５２が挿入可能な位置ではない。このように回転子が挿入位置にはないままの状態で、強引にランプ８５０を取り付けようとすると、接触導電板の変形や、ランプピン８５２が正規の位置に挿入されないことで発生する接触不良を招くことがある。
【特許文献１】特開平８−１９０９７３号公報
【発明の開示】
【発明が解決しようとする課題】
【０００８】
本発明は、上記問題点を解決するためになされたものであり、ランプを装着する時に回転子を押し込む必要がなく、ランプの着脱操作が容易であり、且つ、ランプの装着を確実に行うことが可能なランプソケットを提供することを目的とする。
【課題を解決するための手段】
【０００９】
上記目的を達成するため請求項１の発明は、前面に開口部を有し、外側面から前記開口部に連通するランプピン挿入溝を有するソケット本体と、前記開口部に回動自在に配されて、前面がランプの口金面と接する受金面となる回転子と、前記ソケット本体内に配設され、ランプピンと接触することでランプに通電する導電板とを備え、前記回転子は、前記受金面に開放され、該回転子の前記ソケット本体に対する位置が挿入位置のときに前記ランプピン挿入溝に連通して外部からランプピンを挿入可能となるランプピン保持溝を有しており、前記受金面同士が対向するように照明器具本体に一対で配され、前記ランプピン挿入溝から前記ランプピン保持溝に挿入されたランプピンが前記回転子とともに挿入位置から装着位置まで回転操作されることで、前記ランプピンが前記導電板に接触してランプが通電可能に装着される直管蛍光灯用のランプソケットにおいて、一対のランプソケットの回転子が共に挿入位置にあるとき、これらの回転子の受金面間の距離がランプ両端の口金面間の長さより長くなるように照明器具本体に配されており、前記ランプピンが前記回転子と共に回転操作されたとき、前記回転子が回動すると共に前方へ移動して前記受金面がランプの口金面に向けてせり出し、前記ランプピン及び回転子が装着位置となったときに、該受金面が口金面と当接するものである。
【００１０】
請求項２の発明は、請求項１の発明において、前記ソケット本体と回転子とは、互いに当接するカム面をそれぞれ有しており、前記回転子が回転操作により回動したとき、当該回転子のカム面がソケット本体のカム面上を滑動することで、当該回転子が前方へ移動するものである。
【００１１】
請求項３の発明は、請求項１の発明において、前記ソケット本体は、前記回転子を係止する係止部を有しており、前記回転子は、当該回転子の位置が挿入位置にあるときには前記係止部によってソケット本体に係止されており、当該回転子の位置が装着位置にあるときには前記係止部による係止が開放されており前方へ移動可能であるものである。
【００１２】
請求項４の発明は、請求項１の発明において、前記回転子は、ランプが装着されておらず、且つ、当該回転子の位置が装着位置にあるときには、一対のランプソケットの回転子の受金面間の距離がランプ両端の口金面間の長さより短くなるように、前方に突出した状態であるものである。
【発明の効果】
【００１３】
請求項１の発明によれば、ランプ取り付け時で回転子が挿入位置にあるときには、回転子を押し込むことなくランプピンをランプピン保持溝に挿入することができ、そして、ランプピンが回転子と共に回転操作されて回転子が装着位置となったときに、回転子の受金面がランプの口金面と当接するので、ランプの着脱操作を容易に行うことが可能となるとともに、ランプを確実に装着することが可能となる。
【００１４】
請求項２の発明によれば、回転子が回転するとき、回転子のカム面がソケット本体のカム面上を滑動することで回転子が前方へ移動するので、カム面の形状と回転子の回転に応じて確実に回転子が移動し、上述と同様に、ランプをより確実に装着することができる。
【００１５】
請求項３の発明によれば、回転子は、挿入位置にあるときにソケット本体に係止されており、装着位置にあるときにはその係止が開放されるので、ランプピンをランプピン保持溝に挿入するとき、ランプ長よりもソケット間隔のほうが確実に長い状態で回転子が保持され、上述と同様に、ランプの着脱操作をより容易に行うことが可能となる。
【００１６】
請求項４の発明によれば、ランプが装着されておらず、かつ、回転子の位置が装着位置であるときには、ソケット間隔がランプ長より短くなるので、回転子の位置がそのままの状態ではランプを挿入することができなくなり、導電板の破損や接触不良の発生を防止することが可能となる。
【発明を実施するための最良の形態】
【００１７】
以下、本発明の第１の実施形態について図面を参照して説明する。図１は、本実施形態に係るランプソケット１を示す。また、図２及び図３（ａ）、（ｂ）は、本実施形態に係るランプソケット１を用いた照明器具の一例を示す。ランプソケット１は、カバー２及びボディ３からなるソケット本体１０と、回転子４と、一対の導電板５とを備えている。回転子４及び導電板５は、ボディ３に配され、前面側がカバー２により覆われてソケット本体１０の内部に納められている。このランプソケット１は、直管蛍光灯であるランプ５０の長手方向端部の口金面５１に立設された２本のランプピン５２を保持するものである。
【００１８】
ソケット本体１０のカバー２は、前面に開口部２ａを有しており、外側面からこの開口部２ａに連通し、前面に開放されたランプピン挿入溝２ｂを有している。本実施形態においては、ランプピン挿入溝２ｂは外側面の上端に設けられている。また、下部には、ソケット本体１０の内部に配された導電板５に電源等を供給するための電線が通過する電線挿入孔２ｃが４箇所設けられている。
【００１９】
ソケット本体１０のボディ３は、背面に、前方に向けて鉛直に立設される回転子保持筒３ａと、回転子保持筒３ａに設けられるスリット３ｂと、回転子保持筒３ａのボディ３の背面側の根部に前面に向けて形成されるカム面３ｃと、回転子保持筒３ａの前方先端部に形成される回転子係止爪（係止部）３ｄと、ボディ３の下部に形成される取付溝３ｅを有している。回転子保持筒３ａは、後述するように回転子４が回動自在に貫挿されるものである。スリット３ｂは、ボディ３にカバー２が組み付けられたときにカバー２のランプピン挿入溝２ｂと対応する位置に、つまり、本実施形態においては回転子保持筒３ａの上下方向に設けられている。カム面３ｃは、後述するように、回転子４が配されたときに回転子４に形成されているカム面４ｃと当接するものである。本実施形態において、カム面３ｃは、回転子保持筒３ａを軸とする円盤状であり、例えば、軸周りに回転する方向に角度が９０度毎に、滑らかに、交互に凹凸を繰り返すようなプロファイルを有している。取付溝３ｅは、このランプソケット１が照明器具本体４０に取り付けられるとき、照明器具本体４０が嵌合されるように形成されている。すなわち、ランプソケット１は取付溝３ｅに照明器具本体４０が嵌合されることで、図３（ａ）、（ｂ）に示されるように、照明器具本体４０に支持される。
【００２０】
回転子４は、本実施形態においては筒形状であって、前面が、ランプ５０が装着されたとき口金面５１と接する受金面４ａとなり、受金面４ａに開放され回転子４の周側面に形成されるランプピン保持溝４ｂと、後面に形成されるカム面４ｃと、筒形状の内面の所定位置に回転子係止爪３ｄと係合可能に設けられる被係止部４ｄとを有している。ランプピン保持溝４ｂの両端部の側周面は、筒形状の外周よりも小さい寸法となるように、２面取りがなされているが、これに限るものではない。回転子４は、受金面４ａを前面としてボディ３の回転子保持筒３ａに回動自在に貫挿され、ボディ３がカバー２によって覆われたときに、受金面４ａがカバー２の開口部２ａから外部に露出するように構成されている。つまり、回転子４は、ソケット本体１０の開口部２ａに回動自在に配されている。ランプピン保持溝４ｂは、回転子４が開口部２ａに配されたとき、ソケット本体１０に対して回転方向の位置が所定の位置であるときに、カバー２のランプピン挿入溝２ｂに連通するように設けられている。このときの回転子４の回転方向の位置は挿入位置であり、後述するように、ランプ５０のランプピン５２が、外部からランプピン挿入溝２ｂを通ってランプピン保持溝４ｂに挿入可能となる。カム面４ｃは、回転子４がボディ３に配されたときにカム面３ｃと当接する面である。カム面４ｃは、本実施形態においては、回転子４が挿入位置であるときにカム面３ｃの略全面と接合するような、凹凸の方向がカム面３ｃと略対称なプロファイルを有しているが、これに限るものではない。
【００２１】
導電板５は、例えば速結端子である端子部５ａと、後述するようにランプピン５２を保持するための凹部５ｂを有しており、１つのランプソケット１に左右一対に配置される。ランプソケット１には、外部からの電線がカバー２の電線挿入孔２ｃを通して配され、導電板５の端子部５ａにこの電線が接続される。そして、導電板５がそれぞれランプピン５２と接触すると、ランプ５０に通電可能となる。一対の導電板５は、ランプソケット１に配置されるとき、後述するように、回転子４の周側面を挟むように設けられる。導電板５は、回転子４が挿入位置であるときには、ランプピン５２がランプピン挿入溝２ｂからランプピン保持溝４ｂへと挿入される経路を妨げないように配置されている。
【００２２】
このランプソケット１は、照明器具本体４０に、ランプソケット１の上方を下方に向けて、互いの前面、つまり、受金面４ａ同士が対向するようにして支持される。ここで、ランプ５０が装着されておらず、一対のランプソケット１の回転子が共に挿入位置にあるときには、図２に示されるように、一対のランプソケット１は、これらの回転子４の受金面４ａ間の距離（ソケット間隔と呼ぶ）が、ランプ５０両端の口金面５１間の長さ（ランプ長と呼ぶ）よりも長くなるような間隔で配置される。
【００２３】
次に、このランプソケット１にランプ５０を着脱するときの動作について説明する。回転子４が挿入位置にあるとき、図２及び図３（ａ）に示されるように、ランプ５０は、照明器具本体４０の下方から、すなわちランプソケット１の上方から配される。そして、ランプ５０両端のランプピン５２をそれぞれ一対のランプソケット１のランプピン挿入溝２ｂからランプピン保持溝４ｂに挿入する。図３（ｂ）に示されるように、ランプピン５２がランプピン保持溝４ｂに挿入された状態で、ランプ５０をその軸周りに回転させることによって、ランプピン５２が回転子４と共に挿入位置から後述する装着位置まで回転操作され、ランプピン５２が導電板５と接触してランプ５０が通電可能に装着される。
【００２４】
図４（ａ）、（ｂ）及び図５（ａ）、（ｂ）は回転子４が挿入位置にあるときのランプソケット１を示し、図６（ａ）、（ｂ）及び図７（ａ）、（ｂ）は回転子４が装着位置にあるときのランプソケット１を示す。上述したように、回転子４が挿入位置にあるときには、ランプピン挿入溝２ｂとランプピン保持溝４ｂが連通している。また、このとき、図５（ａ）に示されるように、ボディ３の回転子係止爪３ｄが回転子４の被係止部４ｄを係止することで、回転子４がソケット本体１０に係止されている。これにより、回転子４は、前方への移動が制限され、回動のみ可能とされている。このとき、図４（ａ）の矢印により示されるように、ランプソケット１の上方からランプピン５２がランプピン挿入溝２ｂを通してランプピン保持溝４ｂに挿入される。ランプピン保持溝４ｂに挿入された２本のランプピン５２は、図５（ｂ）に示されるように、回転子４の回転軸を挟んで略対称に配される。導電板５は、図４（ｂ）に示されるように、回転子４の周側面を挟むように配されているので、回転子４が挿入位置にあるときには、開口部２ａからみて外部に露出しておらず、導電板５とランプピン５２とが接触していない。
【００２５】
ランプピン５２がランプピン保持溝４ｂに挿入された状態でランプ５０を軸方向に回転させる回転操作を行うと、ランプピン５２がランプピン保持溝４ｂ内面の側周面近傍に当接することで、ランプピン５２と回転子４が共に回動する。本実施形態においては、回転子４が挿入位置から左右いずれかの回転方向に９０度回転したときの位置が装着位置とされている。回転子４が回動して装着位置となると、図６（ｂ）及び図７（ａ）に示されるように、回転子４の側周面の２面取りがなされた部位が導電板５に挟まれ、一対の導電板５間の距離が互いに近づく。このとき、図７（ｂ）に示されるように、ランプピン５２が導電板５の凹部５ｂに納まった状態となり、ランプピン５２と導電板５とが当接し、ランプ５０に通電可能となる。ここで、図７（ａ）に示されるように、回転子４が挿入位置から回動すると、被係止部４ｄの位置が回転子係止爪３ｄの位置とずれることから、回転子４の係止は解除され、回転子４は回転軸方向に移動可能となる。また、回転子４とボディ３とはそれぞれのカム面３ｃ，４ｃで互いに接しているため、回転子４が回動したときには、カム面３ｃ，４ｃの接触位置が変わることで、回転子４は前方へ移動する。
【００２６】
図８（ａ）、（ｂ）は、ランプピン５２をランプピン保持溝４ｂに挿入した状態で、回転子４が挿入位置から装着位置となるときの回転子４の動きを示す。図８（ａ）に示されるように、回転子４が挿入位置であるときには、回転子４の受金面４ａとランプ５０の口金面５１との間には隙間がある状態となる。このとき、上述したように、ボディ３のカム面３ｃと回転子４のカム面４ｃとは、凹部と凸部とが互いに組み合って、カム面４ｃの略全面にカム面３ｃが当接した状態となっている。そして、ランプピン５２及び回転子４が回転操作により回転するとき、回転子４のカム面４ｃの凸部が、ボディ３のカム面３ｃ上を滑動する。このとき、カム面４ｃの凸部が当接する部位は、回転子４の回動に伴いカム面３ｃ上の凹部から凸部へと変わっていき、これにより回転子４が前方へ移動し、受金面４ａがランプ５０の口金面５１に向けてせり出す。そして、図８（ｂ）に示されるように、回転子４が９０度回転して装着位置となるとき、受金面４ａが口金面５１と当接してランプ５０が挟持される。
【００２７】
本実施形態において、装着されているランプ５０を取り外すときには、上述した取り付けるときの動作と逆の手順にて行われる。すなわち、先ず、ランプ５０を回転させる回転操作を行って、回転子４を装着位置から挿入位置へと回転させる。このとき、カム面３ｃはカム面４ｃ上を滑動するので、受金面４ａが口金面５１に当接しなくなってランプ５０の挟持が解除される。そして、ランプピン５２をランプピン保持溝４ｂからランプピン挿入溝２ｂを通して抜脱し、ランプ５０を照明器具本体の下方へ移動させて取り外す。なお、ランプ５０を取り外した後、ユーザが回転子４を摘んで操作することなどによって、回転子４をソケット本体１０内に押し込むと、再び回転子係止爪３ｄに被係止部４ｄを係止させることができ、再び上述のランプ５０の装着前の状態へと戻る。
【００２８】
このように、ランプ５０の取り付け時で回転子４が挿入位置にあるときには、回転子４を押し込むことなくランプピン５２をランプピン保持溝４ｂに挿入することができ、そして、ランプピン５２が回転子４と共に回転操作されて回転子４が装着位置となったときに、回転子４の受金面４ａがランプ５０の口金面５１と当接するので、ランプ５０の着脱操作を容易に行うことが可能となるとともに、ランプ５０を確実に装着することが可能となる。また、回転子４が回動するとき、回転子４のカム面４ｃがソケット本体１０のボディ３のカム面３ｃ上を滑動することで回転子４が前方へ移動するので、回転子４の回動に応じて確実に回転子４が移動し、ランプ５０がより確実に挟持されて装着される。
【００２９】
また、回転子４は、挿入位置にあるときにソケット本体１０のボディ３に係止されており、装着位置にあるときにはその係止が開放されるので、ランプピン５２をランプピン保持溝４ｂに挿入するとき、ランプ長よりもソケット間隔のほうが確実に長い状態で回転子４が保持され、ランプ５０の装着操作をより容易に行うことが可能となる。
【００３０】
図９は、本発明の第２の実施形態に係るランプソケットを示す。以下の説明において、上述の第１の実施形態と同様の構成部材のものは同一の符号を付し、上述の実施形態と相違する部分についてのみ説明する。このランプソケット１１は、上述のようなカム面ではなく、スプリング１６を用いて回転子１４を移動させる点が上述の実施形態と異なる。
【００３１】
本実施形態において、ソケット本体１１０は、カバー２及びボディ１３からなる。ボディ１３は、背面から鉛直に前方に立設される回転子保持筒１３ａと、回転子保持筒１３ａに設けられるスリット１３ｂと、回転子保持筒１３ａの前方先端部に形成される回転子係止爪（係止部）１３ｄと、ボディ１３の下部に形成される取付溝１３ｅを有している。つまり、ボディ１３は、上記第１の実施形態のボディ３と比較して、カム面３ｃに相当する部位を有していないものである。
【００３２】
また、回転子１４は、前面が、ランプ５０が装着されたとき口金面５１と接する受金面１４ａとなり、受金面１４ａに開放され回転子１４の周側面に形成されるランプピン保持溝１４ｂと、筒形状の内面の所定位置に回転子係止爪１３ｄと係合可能に設けられる被係止部１４ｄとを有している。つまり、回転子１４は、上記第１の実施形態の回転子４と比較して、カム面４ｃに相当する部位を有していないものである。なお、被係止部１４ｄは、回転子１４が装着位置にあるときに、ボディ１３の回転子係止爪１３ｄによって係止されるように設けられている。
【００３３】
スプリング１６は、例えば金属線を用いた弦巻形状のものであり、ボディ１３と回転子１４との間で回転子保持筒１３ａに貫装される。スプリング１６は、ボディ１３の背面側の一端でボディ１３と当接し、他端で回転子１４と当接する。スプリング１６の長さは、ソケット本体１１０にランプ５０が装着されたときに、ボディ１３と回転子１４とに当接して自然状態より縮んだ状態となるように設定されている。
【００３４】
ランプソケット１１を用いた照明器具にランプ５０を装着するときの動作について以下に説明する。本実施形態においても、上記第１の実施形態と同様に、回転子１４が挿入位置であるときにランプ５０のランプピン５２をランプピン保持溝１４ｂに挿入し、ランプ５０をその軸周りに回転操作して回転子１４を装着位置とすることで、ランプピン５２が導電板５と接触してランプ５０が通電可能に装着される。
【００３５】
図１０（ａ）、（ｂ）、（ｃ）は、ランプ５０を装着するときの回転子１４の動作を示す。図１０（ａ）に示されるように、回転子１４が挿入位置にあり、ランプピン保持溝１４ｂにランプ５０のランプピン５２が挿入されているとき、受金面１４ａと口金面５１との間には隙間がある状態である。このとき、スプリング１６は自然状態よりも圧縮されているため、回転子１４はランプソケット１１の前方に向けて付勢されている状態であるが、被係止部１４ｄが回転子係止爪１３ｄによって係止されていることから、上述の隙間を保った状態となっている。
【００３６】
ランプピン保持溝１４ｂにランプピン５２が挿入されて、ランプ５０の回転操作が行われると、回転子係止爪１３ｄによる係止が開放されて、回転子１４は前方へ移動可能となる。このとき、回転子１４は、スプリング１６の復元力が作用することによって前方へ移動する。そして、図１０（ｂ）に示されるように、受金面１４ａが口金面５１と当接した状態で回転子１４が装着位置となる。これにより、ランプピン５２が導電板５と接触してランプ５０が通電可能となるとともに、ランプ５０の両端の口金面５１が受金面１４ａと当接してランプ５０が挟持される。
【００３７】
ランプ５０を取り外す際には、取り付ける際と逆の動作を行えばよい。つまり、ランプ５０を回転操作して回転子１４を挿入位置とした後、ランプピン５２をランプピン保持溝１４ｂから抜脱する。ここで、回転子１４を挿入位置としたとき、その状態でランプ５０を取り外しても、回転子１４をランプソケット１１の後方へ押し込んでからランプ５０を取り外してもよい。回転子１４が挿入位置であるときに回転子１４が押し込まれると、回転子係止爪１３ｄによって被係止部１４ｄが係止され、再び受金面１４ａと口金面５１との間に隙間がある状態となり、容易にランプピン５２をランプピン保持溝１４ｂから抜脱可能となる。
【００３８】
ここで、本実施形態において、例えば、ランプ５０が装着された状態で、回転子１４の位置が装着位置にあるとき、例えば回転子１４が無理に押し込まれたりすることにより、無理にランプ５０が取り外されたとする。このような動作は、ユーザがこのランプソケット１１を突き合わせ型のランプソケットと勘違いするようなときに行われる可能性があるものである。このように、ランプ５０が装着されておらず、且つ、回転子１４の位置が装着位置であるときには、一対のランプソケット１１の回転子１４の受金面１４ａ間の距離がランプ５０両端の口金面５１間の長さよりも短くなるように、前方に突出した状態となる。つまり、回転子１４の受金面１４ａは、図１０（ｃ）の矢印に示されるように、スプリング１６の復元力によってランプ５０が装着されているときの位置よりも前方へ移動した状態となる。
【００３９】
このように回転子１４が前方へ突出した状態から、再びランプ５０の取付前の状態に戻すには、ユーザが回転子１４を摘んで装着位置から挿入位置へ９０度回転させ、また回転子１４をボディ１３に押し込めばよい。これにより、回転子係止爪１３ｄに被係止部１４ｄが係止され、ソケット間隔をランプ長よりも長くなるような間隔で回転子１４が保持され、再びランプ５０を取付可能となる。
【００４０】
以上述べたように、本実施形態においては、ランプ５０の取り付け時に、回転子１４を押し込むことなくランプピン５２をランプピン保持溝１４ｂに挿入し、ランプ５０が回転操作されて回転子１４が装着位置となると、回転子係止爪１３ｄによる係止が解除されて、スプリング１６の復元力により受金面１４ａが口金面５１と当接してランプ５０が確実に保持される。このため、上述の第１の実施形態と同様に、ランプ５０の着脱操作を容易に行うことが可能となる。また、ランプ５０が装着されておらず、且つ、回転子１４の位置が装着位置であるときには、ソケット間隔がランプ長より短くなるので、回転子１４の位置がそのままの状態ではランプ５０を挿入することができなくなる。このため、ランプ５０を強引に取り付けることによる導電板５の破損や接触不良の発生を防止することが可能となる。
【００４１】
なお、本発明は上記実施形態の構成に限定されるものではなく、発明の趣旨を変更しない範囲で適宜に種々の変形が可能である。例えば、上述の第１の実施形態において、ソケット本体１０と回転子４のカム面は、互いの凹凸面が接触するものでなくてもよい。例えば、ソケット本体に、回転子４が回動する方向に溝状に設けられたカム面に、回転子４のピン状のカム面が嵌め込まれ、回転子４の回動に応じて溝状のカム面をピン状のカム面が沿うことで回転子４を移動させるような構成であってもよい。また、カム面は、回転子４が挿入位置から装着位置まで回動するときに回転子４を前方に移動させるだけでなく、逆に装着位置から挿入位置まで回動するときに、回転子４を後方に移動させるような構成であってもよい。
【００４２】
さらに、本発明において、回転子４が挿入位置から装着位置まで回動したときの回転子４の前方への移動は、カム面３ｃ，４ｃ同士の当接やスプリング１６などにより起こるものに限らない。例えば、ソケット本体１０のボディ３の背面に、回転子４を前方へ付勢するような樹脂バネのようなものを形成してもよく、このときにも、上述の第２の実施形態と同様にして、ランプ５０を容易に、確実に取付可能とすることが可能となる。
【図面の簡単な説明】
【００４３】
【図１】本発明の第１の実施形態に係るランプソケットの分解斜視図。
【図２】同上ランプソケットを用いた照明器具の一例を示す正面図。
【図３】（ａ）は同上照明器具にランプを取り付ける前を示す斜視図、（ｂ）は同器具にランプを取り付けた状態を示す斜視図。
【図４】（ａ）は同上ランプソケットの、回転子が挿入位置であるときを示す斜視図、（ｂ）は（ａ）の分解斜視図。
【図５】（ａ）は同上ランプソケットの、回転子が挿入位置であるときを示す断面図であって（ｂ）のＡ−Ａ線断面図、（ｂ）は同ランプソケットの正面図。
【図６】（ａ）は同上ランプソケットの、回転子が装着位置であるときを示す斜視図、（ｂ）は（ａ）の分解斜視図。
【図７】（ａ）は同上ランプソケットの、回転子が装着位置であるときを示す断面図であって（ｂ）のＢ−Ｂ線断面図、（ｂ）は同ランプソケットの正面図。
【図８】（ａ）は同上ランプソケットにランプを装着するときの動作を説明する図であって、回転子が挿入位置であるときを示す図、（ｂ）は（ａ）の、回転子が装着位置であるときを示す図。
【図９】本発明の第２の実施形態に係るランプソケットの分解斜視図。
【図１０】（ａ）は同上ランプソケットにランプを装着するときの動作を説明する図であって、回転子が挿入位置であるときを示す図、（ｂ）は（ａ）の、回転子が装着位置であるときを示す図、（ｃ）は同上ランプソケットにランプが装着されておらず、回転子の位置が装着位置であるときを示す図。
【図１１】従来のランプソケットを用いた照明器具の一例を示す正面図。
【符号の説明】
【００４４】
１，１１  ランプソケット
２  カバー
２ａ  開口部
２ｂ  ランプピン挿入溝
３，１３  ボディ
３ｃ  ボディのカム面（ソケット本体のカム面）
３ｄ，１３ｄ  回転子係止爪（係止部）
４，１４  回転子
４ａ，１４ａ  受金面
４ｂ，１４ｂ  ランプピン保持溝
４ｃ  回転子のカム面
５  導電板
１０，１１０  ソケット本体
４０  照明器具本体
５０  ランプ
５１  口金面
５２  ランプピン
【図１】
2006331701.tif 000003
【図２】
2006331701.tif 000004
【図３】
2006331701.tif 000005
【図４】
2006331701.tif 000006
【図５】
2006331701.tif 000007
【図６】
2006331701.tif 000008
【図７】
2006331701.tif 000009
【図８】
2006331701.tif 000010
【図９】
2006331701.tif 000011
【図１０】
2006331701.tif 000012
【図１１】
2006331701.tif 000013